(57)【要約】【課題】内枠側から前枠側に遊技球を流下させ得る球払出通路を備えた遊技機において、前枠開放時に遊技球の球零れがより生じにくい構成を提供することを目的とする。【解決手段】規制部材５０は、退避位置にあるときに開口部４２ｃの下流側に隣接するように配され且つ遊技球がその上を転動し得るように所定の長さを有して形成された上面部５０ｃを備えている。そして、下流側通路４４は、前枠４が閉塞位置から所定の開放位置までの間の時に、流路底壁４４ｅの上流端部分４４ｈが規制部材５０の上面部５０ｃの下方側に入り込んで、当該上面部５０ｃと連続的に流路を構成する。【選択図】図９
2013102908.tif 000002
【特許請求の範囲】
【請求項１】
遊技盤を保持する内枠と、
前記遊技盤の前面側において前記内枠に対して開閉可能に設けられた前枠と、
前記内枠及び前記前枠の内の前記内枠側に設けられた球払出装置と、
前記内枠及び前記前枠の内の前記内枠側に設けられた上流側通路と、前記前枠側に設けられた下流側通路とを有し、前記球払出装置から払い出された遊技球を前記上流側通路及び前記下流側通路によって前記前枠に設けられた球受皿に誘導する球払出通路と、
を備えた遊技機であって、
前記上流側通路は、
前記球払出装置から払い出された遊技球が流入すると共に、前記遊技球を所定の流下方向に導く誘導部と、
前記誘導部から前記遊技球を排出する開口部と、
を備え、
前記下流側通路は、前記前枠の閉塞時に前記開口部に隣接且つ連通して配置されると共に、前記開口部から排出される遊技球を取り込んで前記球受皿に誘導し、前記前枠の開放時には前記開口部から離間する構成をなし、
前記内枠には、
前記上流側通路の前記開口部を閉鎖して遊技球の流下を規制する規制位置と、前記開口部の下方側に位置するとともに前記開口部を開放して遊技球の流下を許容する退避位置とで変位する規制部材と、
前記規制部材を前記規制位置側に向けて付勢する付勢手段と、
が設けられ、
前記前枠には、
前記前枠の閉塞時に前記付勢手段の付勢に抗して前記規制部材を下方側に押し下げ、前記前枠の開放時にその押し下げ力を解除する押圧部が設けられており、
前記規制部材は、前記退避位置にあるときに前記開口部の下流側に隣接するように配され且つ遊技球がその上を転動し得るように所定の長さを有して形成された上面部を備え、
前記下流側通路は、前記前枠が閉塞位置から所定の開放位置までの間の時に、流路底壁の上流端部分が前記規制部材の上面部の下方側に入り込んで、当該上面部と連続的に流路を構成することを特徴とする遊技機。
【請求項２】
前記規制部材と、前記下流側通路における流路底壁の上流端部分とが、いずれも櫛歯状に形成されており、前記前枠の閉塞時に互い違いに噛み合うように配置されることを特徴とする請求項１に記載の遊技機。
【請求項３】
前記下流側通路における流路底壁の上流端部分の下方側に櫛歯状に形成された前記押圧部が設けられており、
前記前枠の閉塞時に、前記押圧部が前記規制部材と互い違いに噛み合いつつ前記付勢手段の付勢に抗して前記規制部材を下方側に押し下げるように作用することを特徴とする請求項１又は請求項２に記載の遊技機。
【請求項４】
前記規制部材は、上下に延びる複数のリブが所定間隔で配置されると共にそれらリブの上面部が櫛歯状に形成され且つ遊技球が流れるように構成されており、更に、それら複数のリブのリブ間には、前記前枠に形成された前記押圧部によって押圧される被作用部がそれぞれ形成されており、
前記前枠の閉塞時には、前記下流側通路における流路底壁の上流端部分が前記リブ間に入り込みつつ前記押圧部によって前記被作用部が押圧されることで、前記規制部材が前記付勢手段による付勢に抗して下方側に押し下げられて前記退避位置に設定され、
前記前枠の開放時には、前記押圧部が前記被作用部から離間することで前記規制部材を押し下げる力が解除され且つ前記付勢手段の付勢により前記規制部材が前記規制位置に設定されるようになっていることを特徴とする請求項１から請求項３のいずれか一項に記載の遊技機。
【請求項５】
前記下流側通路における流路底壁の上流側端部には、上方に立ち上がる起立壁が形成されていることを特徴とする請求項１から請求項４のいずれか一項に記載の遊技機。
【発明の詳細な説明】
【技術分野】
【０００１】
本発明は、遊技機に関するものである。
【背景技術】
【０００２】
パチンコ機などの遊技機には、一般的に、矩形状の外枠に対して内枠が開閉可能に組み付けられ、この内枠にヒンジを介して前枠が開閉可能に配置されている。また、内枠の前面側には、遊技盤が組み付けられており、前枠には、遊技球を一時的に貯留して内枠に設けられる発射装置の発射位置へ誘導する球受皿が設けられている。さらに、内枠の背面側には、所定の条件に基づいて賞球あるいは貸球として遊技球を払い出す球払出装置が設けられている。そして、球払出装置から球払出通路を経て払出口より払い出された遊技球は、前枠に設けられた球受皿に一時的に貯留される。
【０００３】
ところで、遊技者が遊技中に、スタッフが球詰まりの解消やパチンコ機の点検をするために前枠を開放する場合がある。このとき、球受皿が遊技球で満杯になり球払出通路の満タンスイッチが配置された位置まで遊技球で満たされていたり、入賞により賞球の払出し動作が行われていたりすると、球払出通路を流下あるいは停留している遊技球が床などに零れ落ちて、遊技者に不利益を被らせる可能性がある。そのため、前枠が開放された場合に、球払出通路を流下あるいは停留している遊技球の球零れを防止する構成が求められている。
【０００４】
例えば、特許文献１で開示されるパチンコ機では、シャッター板（４８）を上下にスライドさせる機構において、シャッター板（４８）の前面にクサビ片（５６）を設けると共に、前板（２）を閉じたとき該クサビ片（５６）の斜面に相対する押圧ローラ（５７）を設けている。そして、前板（２）を閉じたとき、該押圧ローラ（５７）が該斜面を押圧し、そのときの下向分力でシャッター板（４８）がバネ（５２）の弾性に抗して下降するようになっている。また、前板（２）を開いたとき、該押圧ローラ（５７）による該斜面の押圧が解除され、シャッター板（４８）がバネ（５２）の弾性に応じて上昇して賞球流入口（２８，２９）を閉鎖するようになっている。
【０００５】
また、特許文献２で開示されるパチンコ機では、枠側流出規制機構（５０）は、枠側ストッパー（５２）と出没変換部（５３）とを備え、開閉側流出規制機構（７７）は、開閉側ストッパー（７８）と開閉側ガイド部（７９）とを備えている。また、枠側ストッパー（５２）の枠側出没片（５５）、開閉側ストッパー（７８）の開閉側出没片（８０）及び出没空間部（４８）を、それぞれ櫛歯状に設定している。そして、透明部材保持枠（１１）を前面枠（３）に対して開くと、枠側ストッパー（５２）が出没空間部（４８）と互い違いに噛み合うように上方へ移動すると共に、開閉側ストッパー（７８）が開閉側出没片（８０）を開閉側球流下路（３５）の上流開口（３５ａ）に向けて突出させることで、遊技球の流下を規制している。
【先行技術文献】
【特許文献】
【０００６】
【特許文献１】特開２００７−２９３０４号公報
【特許文献２】特開２００９−１８９３７８号公報
【発明の概要】
【発明が解決しようとする課題】
【０００７】
特許文献１の遊技機では、遊技機本体（１）側の賞球排出口（１０，１１）と前板（２）側の賞球流入口（２８）との間に板状のシャッターが配置される構成となっている。しかしながら、このような構成では、前板（２）を開く際に、遊技球が賞球排出口（１０，１１）の近傍に位置している場合など、シャッター板（４８）の上昇が開始されるとともに前枠（２）側の通路が離間してしまうため、シャッター板（４８）による遊技球の流下の規制が間に合わず、離間した遊技機本体（１）側の賞球排出口（１０，１１）と前板（２）側の賞球流入口（２８）との間から遊技球が零れ落ちてしまうケースが懸念される。
【０００８】
また、特許文献２の遊技機では、枠側球流下路（２５）の下流開口（２５ａ）には枠側出没片（５５）が隣接して配置され、開閉側球流下路（３５）の上流開口（３５ａ）には開閉側出没片（８０）が隣接して配置される構成になっている。しかしながら、このような構成においても、透明部材保持枠（１１）を前面枠（３）に対して開く際に、枠側出没片（５５）及び開閉側出没片（８０）の上昇が開始されるとともに、透明部材保持枠（１１）が離間してしまうため、離間した枠側球流下路（２５）の下流開口（２５ａ）と開閉側球流下路（３５）の上流開口（３５ａ）との間、すなわち枠側出没片（５５）及び開閉側出没片（８０）との間から遊技球が零れ落ちてしまうケースが懸念される。
【０００９】
本発明は、上述した課題を解決するためになされたものであり、内枠側から前枠側に遊技球を流下させ得る球払出通路を備えた遊技機において、前枠を開放する時に遊技球の球零れがより生じにくい構成を提供することを目的とする。
【課題を解決するための手段】
【００１０】
本発明の遊技機は、遊技盤を保持する内枠と、
前記遊技盤の前面側において前記内枠に対して開閉可能に設けられた前枠と、
前記内枠及び前記前枠の内の前記内枠側に設けられた球払出装置と、
前記内枠及び前記前枠の内の前記内枠側に設けられた上流側通路と、前記前枠側に設けられた下流側通路とを有し、前記球払出装置から払い出された遊技球を前記上流側通路及び前記下流側通路によって前記前枠に設けられた球受皿に誘導する球払出通路と、
を備えた遊技機であって、
前記上流側通路は、
前記球払出装置から払い出された遊技球が流入すると共に、前記遊技球を所定の流下方向に導く誘導部と、
前記誘導部から前記遊技球を排出する開口部と、
を備え、
前記下流側通路は、前記前枠の閉塞時に前記開口部に隣接且つ連通して配置されると共に、前記開口部から排出される前記遊技球を取り込んで前記球受皿に誘導し、前記前枠の開放時には前記開口部から離間する構成をなし、
前記内枠には、
前記上流側通路の前記開口部を閉鎖して遊技球の流下を規制する規制位置と、前記開口部の下方側に位置するとともに前記開口部を開放して遊技球の流下を許容する退避位置とで変位する規制部材と、
前記規制部材を前記規制位置側に向けて付勢する付勢手段と、
が設けられ
前記前枠には、
前記前枠の閉塞時に前記付勢手段の付勢に抗して前記規制部材を下方側に押し下げ、前記前枠の開放時にその押し下げ力が解除される押圧部が設けられており、
前記規制部材は、前記退避位置にあるときに前記開口部の下流側に隣接するように配され且つ遊技球がその上を転動し得るように所定の長さを有して形成された上面部を備え、
前記下流側通路は、前記前枠が閉塞位置から所定の開放位置までの間の時に、流路底壁の上流端部分が前記規制部材の上面部の下方側に入り込んで、当該上面部と連続的に流路を構成することを特徴とする。
【発明の効果】
【００１１】
本発明の遊技機では、規制部材は、退避位置にあるときに開口部の下流側に隣接するように配され、且つ遊技球がその上を転動し得るように所定の長さを有して形成された上面部を備えている。また、下流側通路は、前枠が閉塞位置から所定の開放位置までの間の時に、流路底壁の上流端部分が規制部材の上面部の下方側に入り込んで、当該上面部と重複し、球払出通路の流路を連続的に構成している。
このような構成によれば、前枠が開放される際に、下流側通路における流路底壁の上流端部分が規制部材の上面部の下方側に入り込んで、当該上面部と連続的に流路を構成している状態で、規制部材が上流側通路の遊技球の流下を規制（堰き止め）し始めることが可能となり、開口部の近傍に位置している遊技球が離間した前枠と内枠との間から零れ落ちることを抑制又は防止することができる。また、前枠が開放される際に、上方側に押し上げられる規制部材の上面部に遊技球が位置するような場合においても、遊技球が当該上面部を転動し得るため、規制部材と連続して流路を構成している下流側通路に誘導させることができ、遊技球が当該上面部から球払出通路外に零れ落ちることを抑制又は防止することができる。
【００１２】
また、本発明において、規制部材と、下流側通路における流路底壁の上流端部分とが、いずれも櫛歯状に形成され、前枠の閉塞時に互い違いに噛み合うように配置されていてもよい。
このような構成によれば、前枠が閉塞される際に、規制部材の上面部と下流側通路の流路底壁の上流端部分とが互い違いに噛み合うようにして連続した球払出通路を形成するため、確実に遊技球が流下する通路を形成することができる。また、規制部材の上面部と下流側通路の流路底壁の上流端部分とが、互い違いに噛み合うように連続するため、流下方向において有効にスペースを使用することができ、球零れ防止機構をコンパクトに形成することができる。更に、規制部材の上面部及び下流側通路の流路底壁の上流端部分を櫛歯状に形成するのみで、複雑な機構を必要とせず、構造の簡素化及び部品点数の低減を図ることができる。
【００１３】
また、本発明において、下流側通路における流路底壁の上流端部分の下方側に櫛歯状に形成された押圧部が設けられていてもよい。そして、前枠の閉塞時に、押圧部が規制部材と互い違いに噛み合いつつ付勢手段の付勢に抗して規制部材を下方側に押し下げるように作用する構成であってもよい。
このような構成によれば、規制部材を上下に動作させ且つ開口部の下方側を退避位置とするような構成を効率よく効果的に形成することができる。
【００１４】
また、本発明において、規制部材は、上下に延びる複数のリブが所定間隔で配置されると共にそれらリブの上面部が櫛歯状に形成され且つ遊技球が流れるように構成され、更に、それら複数のリブのリブ間には、前枠に形成された押圧部によって押圧される被作用部がそれぞれ形成されていてもよい。そして、前枠の閉塞時には、下流側通路における流路底壁の上流端部分が前記リブ間に入り込みつつ押圧部によって被作用部が押圧されることで、規制部材が付勢手段による付勢に抗して下方側に押し下げられて退避位置に設定され、前枠の開放時には、押圧部が被作用部から離間することで規制部材を押し下げる力が解除され且つ付勢手段の付勢により規制部材が規制位置に設定されるように構成されていてもよい。
このような構成によれば、規制部材自体に被作用部が形成されるため、前枠に設けられた押圧部により押圧される機構を内枠等に設ける必要がなく、また、規制部材の動作のために駆動力を伝えるリンク部材等も設ける必要がなくなる。更に、複数のリブのリブ間に形成された被作用部が、リブ間に入り込む押圧部により押圧されることで、流下方向において有効にスペースを使用することができる。従って、球零れ防止機構をコンパクトに形成することができ、また、複雑な機構等を必要とせず、構造の簡素化及び部品点数の低減を図ることができる。
【００１５】
また、本発明において、下流側通路における流路底壁の上流側端部には、上方に立ち上がる起立壁が形成されていてもよい。
このような構成によれば、前枠が開放されて前枠と内枠とが離間している状態で、下流側通路の流路底壁上に遊技球が位置している場合に、遊技球が上流側方向に転動して、上流側端部から、離間した前枠と内枠との間へと零れ落ちることを効率良く抑制又は防止することができる。
【図面の簡単な説明】
【００１６】
【図１】図１は、本発明の第１実施形態に係る遊技機を例示する正面図である。
【図２】図２は、図１の遊技機において前枠を開放した状態を概略的に示す斜視図である。
【図３】図３は、図２の一部を拡大して示す図である。
【図４】図４（Ａ）は、前枠側に設けられた下流側通路を後側の斜め上方から見た斜視図であり、図４（Ｂ）は、後側の斜め下方から見た斜視図である。
【図５】図５（Ａ）は、内枠側の上流側通路部分において、規制部材が規制位置にあるときの前側の斜め上方から見た斜視図であり、図５（Ｂ）は、前側の斜め下方から見た斜視図である。
【図６】図６（Ａ）は、内枠側の上流側通路部分において、規制部材が退避位置にあるときの前側の斜め上方から見た斜視図であり、図６（Ｂ）は、前側の斜め下方から見た斜視図である。
【図７】図７は、規制部材が退避位置にあるときの、球払出通路の一部分を前側から見た状態を概略的に示す図である。
【図８】図８（Ａ）は、図７のＡ−Ａ断面を概略的に示す図であり、図８（Ｂ）は、Ｂ−Ｂ断面を概略的に示す図である。
【図９】図９（Ａ）は、規制部材が退避位置と規制位置との間の中途位置にあるときの、図７Ａ−Ａ断面に対応した断面図であり、図９（Ｂ）は、Ｂ−Ｂ断面に対応した断面図である。
【図１０】図１０（Ａ）は、規制部材が規制位置にあるときの、図７Ａ−Ａ断面に対応した断面図であり、図１０（Ｂ）は、Ｂ−Ｂ断面に対応した断面図である。
【図１１】図１１（Ａ）は、規制部材の他の実施形態を概略的に示す図８（Ａ）に対応した断面図であり、図１１（Ｂ）は、その規制部材を概略的に示す斜視図である。
【発明を実施するための形態】
【００１７】
[第１実施形態]
以下、本発明に係る遊技機を具現化した第１実施形態について、図面を参照して説明する。
（遊技機の概要）
まず、図１、図２等を参照して第１実施形態に係る遊技機の概要について説明する。
図１、図２に示すように、遊技機（以下、パチンコ機ともいう）１は、そのパチンコ機１の外郭を形成する額縁状の外枠２を備え、その外枠２の前面に一側をヒンジ２ａ，２ａを介して軸支して、その前面側に向かって片開き可能に内枠３が支持されている。そして、図２に示すように、内枠３には、ガイドレール８により遊技領域５ａが形成された遊技盤５が装着され、その下方に打球装置１２が設けられている。遊技盤５は、例えば木板、アクリル板等によって構成され、その盤面５ａ（前面）の前方側を盤面５ａに沿って遊技球が流下するように構成されている。また、内枠３の前方側には、前枠４が、ヒンジ２ｂ、２ｂを介して当該内枠３に開閉自在に取り付けられている。この前枠４には、遊技領域５ａを視認するための窓部にガラスなどの透明板６が配置され、その下方前面側に球受皿である上皿９ａ及び下皿９ｂが設けられている。さらに、この上皿９ａの右下側には、打球装置１２による遊技球の発射力を調節する発射ハンドル１０が設けられている。
【００１８】
なお、本明細書において、「前後方向」とは、遊技盤５の盤面５ａと直交する方向を意味し、盤面５ａに対し、遊技者が位置するべき側を前方側、それとは反対側（即ち、遊技機１奥側）を後方側とする。また、「上下方向」とは、遊技領域５ａを遊技球が流下する方向（鉛直方向）を意味する。また、「左右方向」とは、上記「前後方向」及び「上下方向」と直交する方向を意味する。遊技機１前方側から見て左側を左方向、右側を右方向とする。
【００１９】
内枠３は、図２に示すように、アルミなどの金属や合成樹脂により縦長方形状で、背面上方には、遊技機島の補給経路（図示せず）から補給される遊技球を貯留する補給タンク１４が設けられている。また、補給タンク１４の下流側に遊技球を整列して流下させる直線及び屈曲状の球誘導路（図示せず）が設けられている。また、その球誘導路の下流側には所定個数の遊技球を計数して払い出す球払出装置１６（図３）が設けられている。なお、球払出装置１６は、公知の構成をなしており、図３では、破線にて概略的に示している。そして、図３に示すように、その球払出装置１６の下流側には、該球払出装置１６から払出された遊技球を開口部２２ａから上皿９ａ（図１参照）へと誘導する上皿側排出路２０が設けられている。この上皿側排出路２０は、図３に示すように、内枠３側に設けられた上皿側第１通路２２と、前枠４側に設けられた上皿側第２通路２４とによって構成されている。そして、前枠４が閉じているときに上皿側第１通路２２と上皿側第２通路２４とが連通し、このときに上皿側第１通路２２から上皿側第２通路２４へと遊技球が流下しうるようになっている。
【００２０】
また、図２、図３に示すように、上皿側第１通路２２の開口部２２ａの下方には、上皿９ａが遊技球で一杯になったときに遊技球が溢れ出て流下するように、或いは、前枠４が開放されたときに上皿側第１通路２２を流下（停留）する遊技球が下皿側に誘導されるように上流側通路４２の一部（誘導部４２ａ）が設けられ、このように上流側通路４２に送り込まれた遊技球を下皿９ｂ（球受皿）へと誘導するように球払出通路４０が設けられている。この球払出通路４０は、内枠３側（即ち、内枠３及び前枠４の内の内枠３側）に設けられた上流側通路４２と、前枠４側（即ち、内枠３及び前枠４の内の前枠４側）に設けられた下流側通路４４とを有し、球払出装置１６から払い出された遊技球を上流側通路４２及び下流側通路４４によって前枠４に設けられた下皿９ｂ（球受皿）に誘導するように構成されている。また、本構成では、図２、図３のように前枠４が開放する際に、球払出通路４０において、上流側通路４２と下流側通路４４とが分断されて離間するようになっており、このような離間に起因する上流側通路４２からの球零れ（より詳しくは、開口部４２ｃ（図６等）からの球零れ）を防止するために、特徴的な球零れ防止構造を採用している。以下、この構造について詳述する。
【００２１】
（球零れ防止構造）
本構成に係る遊技機では、前枠４が閉塞しているときには上流側通路４２と下流側通路４４とが連通し、上流側通路４２から下流側通路４４へと遊技球が流れるようになっている（図８参照）。なお、図８（Ａ）、図９（Ａ）、図１０（Ａ）では、「Ｂ」は遊技球であり、遊技球Ｂを一点鎖線にて示している。一方、前枠４が開放する際には、上流側通路４２と下流側通路４４とが分断されて離間するため、分断直前に上流側通路４２を流れていた遊技球が外部に零れ落ちてしまうことが懸念される。そこで、本構成では、図２、図３、図５のように前枠４の開放時に迅速に上流側通路４２を閉鎖するように規制部材５０を設けており、更に、閉鎖動作直前時に規制部材５０の上面部５０c上（図８参照）に遊技球が位置するような場合においても、この遊技球を零れさせずに下流側通路４４に誘導し得るように特徴的な構造を採用している。
【００２２】
本実施形態で用いられる球零れ防止構造では、図６、図８に示すように、球払出装置１６から払い出された遊技球が流入すると共に、遊技球を遊技盤５の盤面５ａに沿った所定の流下方向に導く誘導部４２ａと、誘導部４２ａによって盤面５ａに沿った方向に誘導された遊技球を前方側に導く方向転換部４２ｂと、この方向転換部４２ｂによって案内された遊技球を排出する開口部４２ｃとが設けられ、これらによって上流側通路４２が構成されている。なお、本構成では、誘導部４２ａと方向転換部４２ｂとによって本発明の「誘導部」を構成しており、誘導部４２ａ及び方向転換部４２ｂが本発明の「誘導部」の一部として機能している。そして、このように形成される上流側通路４２と前枠４側（即ち、内枠３及び前枠４の内の前枠４側）に設けられた下流側通路４４とによって球払出通路４０が構成されており、この球払出通路４０に対して規制部材５０及び下記構成を設けることで球零れを防止している。なお、このように球零れを防止する構成は、上述した上皿側排出路２０に同様の構成を採用してもよいことを先に述べておく。この場合、上皿側第１通路２２が、本発明の上流側通路に相当し、上皿側第２通路２４が本発明の下流側通路に相当する。
【００２３】
球払出通路４０の下流側を構成する下流側通路４４は、図８に示すように前枠４の閉塞時に開口部４２ｃに隣接且つ連通して配置されると共に、開口部４２ｃから排出される遊技球を取り込んで下皿９ｂ（球受皿）に誘導するように構成され、図２、図３のように前枠４の開放時には開口部４２ｃから離間する構成をなしている。更に、図５、図６のように、内枠３には、上流側通路４２の開口部４２ｃを閉鎖して遊技球の流下を規制する規制位置（図５）と、開口部４２ｃの下方側に位置するとともに開口部４２ｃを開放して遊技球の流下を許容する退避位置（図６）とで変位する規制部材５０と、規制部材５０を規制位置側（図５等の構成では上側）に向けて付勢するコイルばね６０（コイルばね６０は、「付勢手段」の一例に相当）とが設けられている。そして、図３のように、前枠４には、この前枠４の閉塞時にコイルばね６０の付勢に抗して規制部材５０を下方側に押し下げ、前枠４の開放時にその押し下げ力が解除される押圧部４４ｃが設けられており（図４、図８も参照）、規制部材５０は、図６、図８のように退避位置にあるときに開口部４２ｃの下流側に隣接するように配され且つ遊技球がその上を転動し得るように所定の長さを有して形成された上面部５０ｃを備えている。そして、図８（Ａ）、図９（Ａ）のように、下流側通路４４は、前枠４が閉塞位置から所定の開放位置となるまでの間の期間、流路底壁の上流端部分４４ｈが規制部材５０の上面部５０ｃの下方側に入り込んで、当該上面部５０ｃと連続的に流路を構成するようになっており、これにより、前枠４の開放動作が開始された後であってもこの期間は上流側通路４２と下流側通路４４の間から遊技球が零れ落ちないようになっている。
以下、遊技球の球零れの防止機構を構成するこれらの部品（上流側通路４２、下流側通路４４、規制部材５０、コイルばね６０（付勢手段）等）について更に詳しく説明する。
【００２４】
まず、上流側通路４２について説明すると、上述したように本構成では、上流側通路４２は、内枠３における球払出装置１６（図３）の下方側において遊技球を下流側通路４４に導くように機能する部分であり、上皿側に入り込めずに溢れ出て流下してくる遊技球や、前枠４が開放されたときに上皿側第１通路２２を流下（停留）する遊技球、或いは遊技領域に進入しなかったファウル球などを導入し、遊技機左端側から遊技盤５の盤面５ａに沿うように右側下方に誘導する誘導部４２ａを備えている。そして、これに続く形態で遊技球を前方に導く方向転換部４２ｂが形成されており、方向転換部４２ｂの端部（即ち、上流側通路４２の端部）には遊技球を排出する排出口としての開口部４２ｃが形成されている。誘導部４２ａは、全体として横方向に延びる筒状に構成され、遊技機１（図１）の左端寄りの位置から右側且つ下側に延びており、遊技機１の右端寄りの位置に至るように遊技球の流路を構成している。そして、誘導部４２ａの右端部付近に続く構成で左右方向の流路を前後方向に転換する方向転換部４２ｂが形成され、この方向転換部４２ｂの端部において前方側に開口する形態で開口部４２ｃが設けられている。このように構成されているため、上流側通路４２に流入した遊技球は、遊技機左端側から右端側に導かれ、開口部４２ｃが開放しているとき（即ち、後述する規制部材５０が退避しているとき）にこの開口部４２ｃから前側に排出されることになる。
【００２５】
次に、下流側通路４４について説明する。図３に示すように下流側通路４４は、前枠４において当該前枠４を前後に貫通する貫通路として筒状に構成されており、前枠４の裏面側から後方側に突出した形態をなしている。この下流側通路４４は、図４に示すように、遊技球が転動して流下する底壁部（流路底壁）４４ｅと、流路底壁４４ｅから上方に立ちあがる側壁部４４ｆ，４４ｇと、流路底壁４４ｅに対向する上壁部４４ｄとを備えており、側壁部４４ｆ，４４ｇによって左右方向への移動を規制された状態で流路底壁４４ｅ上を遊技球が転がるように構成されている。
【００２６】
また、下流側通路４４には、上流側通路４２の開口部４２ｃ（図５、図６等参照）から排出される遊技球が流入する開口形態の流入口４５と、流入口４５に流入した遊技球を前枠４に設けられた下皿９ｂ（図１参照）へ払い出す開口形態の払出口４６とが設けられ、流入口４５から払出口４６へと続くように筒状の流路が構成されており、更に、流入口４５の下方側には、前枠４の閉塞時に規制部材５０の被作用部５０ｄ（図８参照）を押圧する押圧部４４ｃが形成されている。
【００２７】
図４、図８、図９に示すように、下流側通路４４の流路底壁４４ｅは、流入口４５から払出口４６に向かって前方側が低位置となるように傾斜して配置されている。これにより流入口４５に流入した遊技球が下流側通路４４内に留まることなく払出口４６へ円滑に流下することとなる。更に、図４のように、下流側通路４４の流路底壁４４ｅは、上流端部分４４ｈが櫛歯状に形成されている。この上流端部分４４ｈは、上流側（後ろ側）に張り出す張出部４４ａを備え、これら張出部４４ａの間には、下流側に向かって凹む凹部が形成されている。また、張出部４４ａの先端部（上流端）には、上方に立ち上がるように起立壁４４ｂが形成されている。本構成では、上述したように前枠４の閉塞時に規制部材５０側に退避するようになっており（図８参照）、このときには、櫛歯状に構成された規制部材５０の上面部５０ｃが流路の一部（底部）を構成するようになっている（図６、図８参照）。そして、このような前枠４の閉塞時（図８参照）、及び前枠４が閉塞位置から所定の開放位置となるまでの間の時（図９参照）には、流路底壁４４ｅの上流端部分４４ｈが流路の一部をなす上面部５０ｃの下方側に入り込むように配置され（具体的には、上面部５０ｃを構成する複数のリブ５０ｂのリブ間に入り込むように配置され、上面部５０ｃと連続的に流路を構成するようになっている。また、図８等に示すように、前枠４の閉塞時には、リブ５０ｂの上面部５０ｃよりも起立壁４４ｂのほうが下方位置となるように配され、起立壁４４ｂが上面部５０ｃよりも上側に突出しないようになっているため、前枠４の閉塞時には起立壁４４ｂが上面部５０ｃ上を転動する遊技球に干渉しないようになっている。
【００２８】
２つの押圧部４４ｃは、上流端部分４４ｈ付近に設けられた幅方向中央側の２つの張出部４４ａのそれぞれの下方位置において後方側（上流側）に突出するように形成されている。各押圧部４４ｃの先端部（後端部）は、外面が後方側且つ下方側に面する傾斜面とされており、後端側となるにつれて高位置となるようなテーパ形状となっている。各押圧部４４ｃの位置では、押圧部４４ｃと張出部４４ａとが上下に並んでおり、押圧部４４ｃと張出部４４ａとの対（上下の対）が左右に間隔をあけて配されている。また、押圧部４４ｃと張出部４４ａとの対（上下の対）の左右には空間（隙間）が構成されており、図８等に示すような前枠４の閉塞時にはこの隙間に各リブ５０ｂを入り込ませるようになっている（図６、図８等参照）。なお、本構成では、押圧部４４ｃと張出部４４ａとの対（上下の対）において、押圧部４４ｃと張出部４４ａとが間隔をあけて形成されているが、これらが上下に繋がって形成されていてもよい（例えば、リブ状に形成されていてもよい）。
【００２９】
次に、規制部材５０及びそのガイド構造について説明する。
図５、図６に示すように、規制部材５０は、上流側通路４２の前側に配されて開口部４２ｃを開放（図６、図８）及び閉塞（図５、図１０）し得るように機能しており、図５、図６、図８〜図１０に示すように、上流側通路４２を構成するフレームと一体的に構成された一対のガイド壁部４３、４３（図５、図６）及びガイド部材６２（図８〜図１０）にガイドされる構成で上下動しうるようになっている。
【００３０】
図５、図６に示すように、規制部材５０は、上流側通路４２の開口部４２ｃに対して進退可能に形成される略板状の閉鎖部５０ａと、閉鎖部５０ａの前面部において前方側に突出すると共に上下に延びるように形成され且つ所定間隔で櫛歯状に複数枚（本実施形態では３枚）設けられるリブ５０ｂと、これらリブ５０ｂのリブ間においてリブ５０ｂと互い違いに前側に突出するように複数枚（本実施形態では２枚）設けられる被作用部５０ｄとを備えている。各リブ５０ｂは、閉鎖部５０ａの上端付近から下端付近に亘って配置され、閉鎖部５０ａの上下全体に亘ってほぼ一定の高さ（突出量）で形成されている。また、被作用部５０ｄは、閉鎖部５０ａの上端よりもやや下側の位置から下端付近に亘って板状に配置されており、上端部の前側への突出量が小さく（具体的には、上端部の前側の突出量はリブ５０ｂよりも小さく）、下端部に近づくにつれて前側への突出量が次第に大きくなるように三角リブ状に形成されている。図８等に示すように、前枠４の閉塞時（即ち、規制部材５０の退避時）には、各張出部４４ａの上流端部分４４ｈ（具体的には起立壁４４ｂの後面部）が複数のリブ５０ｂのリブ間に入り込むようになっており、各被作用部５０ｄの上側部分に対して各張出部４４ａの上流端部分４４ｈ（具体的には起立壁４４ｂの後面部）が当接ないし近接するように配置されるようになっている。このように、規制部材５０の各リブ５０ｂが櫛歯状に構成され、下流側通路４４の上流端部分４４ｈも複数の張出部４４ａによって櫛歯状に構成されており、近接時にこれらが互い違いに嵌り合うようになっているため、前枠４が閉塞する際に干渉を効率よく回避できるようになっている。
【００３１】
また、規制部材５０に形成されたリブ５０ｂの上面部５０ｃは前後方向に所定の長さを有しており、遊技球がその上面を転動し得る構成をなしている。そして、規制部材５０が図８のような退避位置にあるときに開口部４２ｃの下端部の下流側に隣接するように配され、このときに上流側通路４２から流下してきた遊技球を下流側通路４４に向けて案内するように作用する。また、この上面部５０ｃは、図８の状態から図９の状態へ変化するときのように、前枠４が閉塞位置から所定の開放位置に至るまでの間は、流路底壁４４ｅの上流端部分４４ｈ（即ち、張出部４４ａの部分）が上面部５０ｃの下方側に入り込んだ状態が維持され、このように下方側に入り込んだ状態が維持される間は、上面部５０ｃと流路底壁４４ｅの上流端部分４４ｈとによって連続的に流路が構成されるようになっている。
【００３２】
規制部材５０を上下にガイドする構造は以下の通りとなっている。
本構成では、上流側通路４２の下方側（具体的には、開口部４２ｃの下方側）において、上流側通路４２と一体的に形成された保持部材６４が設けられている。この保持部材６４は、断面形状（具体的には、左右方向と直交する切断面の断面形状）がコの字型の形態をなしており、軸状のガイド部材６２が上下に延びた構成で固定されている。一方、図８〜図１０に示すように、閉鎖部５０ａの後方側には、閉鎖部５０ａの後面部から板厚方向を上下方向とする構成で板状に突出する突出部５０ｅが形成されているおり、この突出部５０ｅには、上下方向に貫通する図示しない貫通孔が形成されている。そして、この貫通孔に対して上述のガイド部材６２が挿し通されている。
【００３３】
また、図５、図６のように、開口部４２ｃの下方には、規制部材５０の左端及び右端にそれぞれ隣接して規制部材５０の動作をガイドする板状のガイド壁部４３、４３が設けられている。各ガイド壁部４３は、左右方向を板厚方向とする構成で板状に構成され、且つ上下方向に延びており、規制部材５０の左右方向への移動を規制しつつ上下に案内するように機能している。規制部材５０は、上記のように構成されるガイド部材６２及びガイド壁部４３、４３によって案内される構成で上下にスライド動作するようになっている。
なお、ガイド壁部４３、４３及びガイド部材６２は、「保持手段」の一例に相当し、規制部材５０を上下動可能に保持するように機能する。
【００３４】
このように保持される規制部材５０は、図８のように、規制部材５０の底面５０ｆが保持部材６４の下側部分と当接する位置まで下降すると、それ以上下方に下降しないように保持部材６４により規制される。この位置が「退避位置」に相当しており、このとき開口部４２ｃを開放すると共に上流側通路４２から下流側通路４４への遊技球の流下を許容することとなる。また、図１０に示すように、規制部材５０の突出部５０ｅが保持部材６４の上側部分と当接する位置まで上昇すると、それ以上上方に上昇しないように保持部材６４により規制される。この位置が「規制位置」に相当しており、このとき閉鎖部５０ａによって開口部４２ｃを閉鎖して上流側通路４２から下流側通路４４への遊技球の流下を規制することとなる。
【００３５】
また、本実施形態では、付勢手段として、コイルばねを使用している。図５、図１０に示すように、コイルばね６０は、内枠３に設けられる規制部材５０を規制位置側に付勢するように機能している。このコイルばね６０は、金属線材が巻き回されたコイルのみから構成されている。また、図５、図８ないし図１０に示すように、コイルばね６０は、上述のガイド部材６２の周囲に嵌め合わされており、上端は規制部材５０の突出部５０ｅに当接しており、下端は保持部材６４の下側部分と当接している。そして、コイルばね６０の上端は、規制部材５０の突出部５０ｅと一体的に変位するようになっている。
【００３６】
次に、球零れの防止機構の動作について図８ないし図１０等を用いて説明する。
まず、前枠４が閉塞されている状態では、図８に示すように、下流側通路４４は上流側通路４２の開口部４２ｃに隣接して配置される。このとき、下流側通路４４の上流端部分４４ｈ（具体的には張出部４４ａ）がリブ５０ｂ間に入り込みつつ押圧部４４ｃによって被作用部５０ｄ（具体的には、被作用部５０ｄの前面側のテーパ部）が押圧されることで、規制部材５０がコイルばね６０による付勢に抗して下方側に押し下げられ、上面部５０ｃが開口部４２ｃの下端部に隣接すると共に底面５０ｆが保持部材６４の下側部分と当接する位置（退避位置）に設定される。このとき、図８（Ａ）に示すように、上流側通路４２の底壁部、上面部５０ｃ、及び下流側通路４４の流路底壁４４ｅ（図４）が後方側から前方側に連続するように流路を構成することとなる。また、このときには、図８（Ｂ）に示すように、下流側通路４４の上流端部分４４ｈが規制部材５０の上面部５０ｃの下方に位置し、これら上面部５０ｃと上流端部分４４ｈとが流下方向において重複して配置されるようになっている。このような状態のときには、上流側通路４２の誘導部４２ａに誘導されて流下した遊技球は開口部４２ｃから払い出され、上面部５０ｃ上を通って下流側通路４４の流入口４５に円滑に流入し、払出口４６から下皿９ｂ（図１参照）へ払い出されることとなる。
【００３７】
図８のように、前枠４が閉塞されている状態から、図９に示すように前枠４が若干開放されると、下流側通路４４は上流側通路４２から離間し始める。このとき、下流側通路４４の押圧部４４ｃも前枠４の開放に連動して上流側通路４２から徐々に離間する。一方、規制部材５０はコイルばね６０の付勢により上方側に付勢されており、押圧部４４ｃが上流側通路４２から徐々に離れると、傾斜形状の被作用部５０ｄにおいてより低位置側（より前方側）を被押圧部分（押圧部４４ｃによって押圧される部分）とするように追従しながら上昇していく。
【００３８】
そして、図９に示すように、コイルばね６０により上方側に付勢されている規制部材５０が、球払出通路４０を遮るように開口部４２ｃの下方側から前方側に進入する。本構成では、規制部材５０の上面部５０ｃは、球払出通路４０の流下方向に所定の長さを有するので、下流側通路４４が上流側通路４２の開口部４２ｃから所定の距離まで離間する間は、流路底壁４４ｅの上流端部分４４ｈが規制部材５０の上面部５０ｃの下方側に入り込んで、この上流端部分４４ｈ（具体的には張出部４４ａ）と当該上面部５０ｃとによって連続的に流路が構成されることとなる。そのため、下流側通路４４の上流端部分４４ｈと規制部材５０の上面部５０ｃとによって、連通した球払出通路４０を構成した状態で、規制部材５０が上流側通路４２にある遊技球の流下を堰き止め始めることになる。なお、図１０のように前枠４が開放している状態から図９のように閉鎖し始めるときも同様であり、下流側通路４４の上流端部分４４ｈと規制部材５０の上面部５０ｃとによって、連通した球払出通路４０を構成した状態で押圧部４４ｃによって被作用部５０ｄを押し下げ、規制部材５０が開口部４２ｃから退避し始めることとなる。
【００３９】
また、図８のように前枠４が閉塞されている状態のときに規制部材５０の上面部５０ｃに遊技球が位置していた場合、この状態で前枠４が開放されて図９のように規制部材５０が上方側に変位すると、その上面部５０ｃ上の遊技球は上面部５０ｃ上から転動して下流側通路４４の上流端部分４４ｈ付近に流下することになる。このとき、上流端部分４４ｈと上面部５０ｃとが離間しないで維持されるため、上面部５０ｃから転動する遊技球が遊技機外に零れ落ちることがない。
【００４０】
さらに、図１０示すように、前枠４が開放し、下流側通路４４が上流側通路４２から大きく離れたときには、押圧部４４ｃ（図４等）が被作用部５０ｄから離間するため、この押圧部４４ｃによる規制部材５０を押し下げる力が解除され、規制部材５０は、コイルばね６０の付勢により上端位置まで上昇する。このときには、突出部５０ｅが保持部材６４の上側部分と当接する位置まで上昇しこの位置（規制位置）で保持されることとなる。これにより、閉鎖部５０ａは、遊技球を排出不能とするように開口部４２ｃを閉鎖する。そして、前枠４の開放時において、上流側通路４２の方向転換部４２ｂ内に突出した閉鎖部５０ａにより、上流側通路４２の誘導部４２ａに誘導され方向転換部４２ｂを流下する遊技球が堰き止められることとなる。
【００４１】
（第１実施形態の主な効果）
第１実施形態に係る遊技機１では、規制部材５０は、退避位置にあるときに開口部４２ｃの下流側に隣接するように配され、且つ遊技球がその上を転動し得るように所定の長さを有して形成された上面部５０ｃを備えている。また、下流側通路４４は、前枠４が閉塞位置から所定の開放位置までの間の時に、流路底壁４４ｅの上流端部分４４ｈが規制部材５０の上面部５０ｃの下方側に入り込んで、当該上面部と連続的に流路を構成している。
このような構成によれば、前枠４が開放される際に、下流側通路４４における流路底壁４４ｅの上流端部分４４ｈが規制部材５０の上面部５０ｃの下方側に入り込んで、当該上面部５０ｃと連続的に流路を構成している状態で、規制部材５０が上流側通路４２の遊技球の流下を規制（堰き止め）し始めることが可能となり、開口部４２ｃの近傍に位置している遊技球が離間した前枠と内枠３との間から零れ落ちることを抑制又は防止することができる。また、前枠４が開放される際に、上方側に押し上げられる規制部材５０の上面部５０ｃに遊技球が位置するような場合においても、遊技球が当該上面部５０ｃを転動し得るため、規制部材５０と連続して流路を構成している下流側通路４４に誘導させることができ、遊技球が当該上面部５０ｃから球払出通路４０外に零れ落ちることを抑制又は防止することができる。
【００４２】
また、本実施形態では、規制部材５０の上面部５０ｃと、下流側通路４４の上流端部分４４ｈにおける規制部材５０の上面部５０ｃの下方側に入り込む部分（張出部４４ａ）とが、いずれも櫛歯状に形成されており、前枠４の閉塞時に互い違いに噛み合うように配置されている。
このような構成によれば、前枠４が閉塞される際に、規制部材５０の上面部５０ｃと下流側通路４４の張出部４４ａとが互い違いに噛み合うようにして連続した球払出通路４０を形成するため、確実に遊技球が流下する通路を形成することができる。また、規制部材５０の上面部５０ｃと下流側通路４４の張出部４４ａとが、互い違いに噛み合うように連続するため、流下方向において有効にスペースを使用することができ、球零れ防止機構をコンパクトに形成することができる。更に、規制部材５０の上面部５０ｃ及び下流側通路４４の張出部４４ａを櫛歯状に形成するのみで、複雑な機構を必要とせず、構造の簡素化及び部品点数の低減を図ることができる。
【００４３】
また、本実施形態では、規制部材５０は、上下に延びる複数のリブ５０ｂが所定間隔で配置されると共にそれらリブ５０ｂの上面部５０ｃが櫛歯状に形成され且つ遊技球が流れるように構成されており、更に、それら複数のリブ５０ｂのリブ間には、前枠４に形成された押圧部４４ｃによって押圧される被作用部５０ｄがそれぞれ形成されている。そして、前枠４の閉塞時には、張出部４４ａがリブ間に入り込みつつ押圧部４４ｃによって被作用部５０ｄが押圧されることで、規制部材５０がコイルばね６０による付勢に抗して下方側に押し下げられて退避位置に設定され、前枠４の開放時には、押圧部４４ｃが被作用部５０ｄから離間することで規制部材５０を押し下げる力が解除され且つコイルばね６０の付勢により規制部材５０が規制位置に設定されるようになっている。
このような構成によれば、規制部材５０自体に被作用部５０ｄが形成されるため、前枠４に設けられた押圧部４４ｃにより押圧される機構を内枠３等に設ける必要がなく、また、規制部材５０の動作のために駆動力を伝えるリンク部材等も設ける必要がなくなる。更に、複数のリブ５０ｂのリブ間に形成された被作用部５０ｄが、リブ間に入り込む押圧部４４ｃにより押圧されることで、流下方向において有効にスペースを使用することができる。従って、球零れ防止機構をコンパクトに形成することができ、また、複雑な機構等を必要とせず、構造の簡素化及び部品点数の低減を図ることができる。
【００４４】
また、本実施形態では、下流側通路４４における張出部４４ａの下方側に押圧部４４ｃが設けられている。このような構成によれば、下流側通路４４における押圧部４４ｃの配置を、下流側通路４４のスペースを利用して効率よく行うことができ、遊技機内のコンパクト化及び構造の簡素化を図ることができる。
【００４５】
また、本実施形態では、張出部４４ａの上流端部分４４ｈに上方に立ち上がる起立壁４４ｂが形成されている。このような構成によれば、前枠４が開放されて前枠４と内枠３とが離間している状態で、下流側通路４４の流路底壁４４ｅ上に遊技球が位置している場合に、遊技球が上流側方向に転動して、上流端部分４４ｈから、離間した前枠４と内枠３との間へと零れ落ちることを効率良く抑制又は防止することができる。
【００４６】
［第２実施形態］
次に、第２実施形態について説明する。本実施形態では、規制部材及び下流側通路以外の構成は第１実施形態と同様であり、第１実施形態と同様の構成については第１実施形態と同一の符号を付し、詳細な説明は簡略化又は省略する。
【００４７】
上記第１実施形態では、規制部材５０の上面部が複数枚のリブ５０ｂの上端部によって構成された例を示したが、第２実施形態では、図１１に示すように、上面部１５０ｃが横方向に連続する板状部（横方向に延びるリブ１５０ｂ）の上壁によって構成されている。この例では、規制部材１５０の上端部において前方側且つ斜め下方側に突出するように横方向に延びるリブ１５０ｂが形成されており、下流側通路４４の上流端部分４４ｈが、規制部材１５０の上面部１５０ｃの下方側に入り込んで上面部１５０ｃと連続的に流路を構成するようになっている。
このような構成によれば、規制部材１５０を簡易な形状で形成する事ができる。また、前枠４が開放される際に、下流側通路４４における流路底壁４４ｅの上流端部分４４ｈが規制部材１５０の上面部１５０ｃの下方側に入り込んで、当該上面部１５０ｃと連続的に流路を構成している状態で、規制部材１５０が上流側通路４２の遊技球の流下を規制（堰き止め）し始めることが可能となり、開口部４２ｃの近傍に位置している遊技球が離間した前枠と内枠３との間から零れ落ちることを抑制又は防止することができる。また、前枠４が開放される際に、上方側に押し上げられる規制部材１５０の上面部１５０ｃに遊技球が位置するような場合においても、遊技球が当該上面部１５０ｃを転動し得るため、規制部材１５０と連続して流路を構成している下流側通路４４に誘導させることができ、遊技球が当該上面部１５０ｃから球払出通路４０外に零れ落ちることを抑制又は防止することができる。
【００４８】
［他の実施形態］
本発明は上記記述及び図面によって説明した実施形態に限定されるものではなく、例えば、次のような実施形態も本発明の技術的範囲に含まれる。
【００４９】
上記実施形態では、規制部材５０に一体的に被作用部５０ｄを形成し、押圧部４４ｃに直接的に押圧される構成を例示したが、被作用部を規制部材５０とは別に設けるとともに伝達機構を介して間接的に作用される構成としてもよい。
【００５０】
上記実施形態では遊技機の一例としてパチンコ機について説明したが、他に例えばアレンジボール遊技機、雀球遊技機等の遊技機に上述の球零れ防止構造と同様の適用することができる。
【符号の説明】
【００５１】
１…遊技機
２…外枠
２ａ,２ｂ…ヒンジ
３…内枠
４…前枠
５…遊技盤
５ａ…遊技領域
６…透明板
９ａ…上皿（球受皿）
９ｂ…下皿（球受皿）
１０…発射ハンドル
１２…打球装置
１４…補給タンク
２０…上皿側排出路
２２…上皿側第１通路
２２ａ…開口部
２４…上皿側第２通路
４０…球払出通路
４２…上流側通路
４２ａ…誘導部
４２ｂ…方向転換部
４２ｃ…開口部
４３…ガイド壁部（保持手段）
４４…下流側通路
４４ａ…張出部
４４ｂ…起立壁
４４ｃ…押圧部
４４ｄ…上壁部
４４ｅ…底壁部（流路底壁）
４４ｆ,４４ｇ…側壁部
４４ｈ…上流端部分
４５…流入口
４６…払出口
５０,１５０…規制部材
５０ａ,１５０ａ…閉鎖部
５０ｂ,１５０ｂ…リブ
５０ｃ,１５０ｃ…上面部
５０ｄ,１５０ｄ…被作用部
５０ｅ…突出部
５０ｆ…底面
６０…コイルばね（付勢手段）
６２…ガイド部材（保持手段）
６４…保持部材
【図１】
2013102908.tif 000003
【図２】
2013102908.tif 000004
【図３】
2013102908.tif 000005
【図４】
2013102908.tif 000006
【図５】
2013102908.tif 000007
【図６】
2013102908.tif 000008
【図７】
2013102908.tif 000009
【図８】
2013102908.tif 000010
【図９】
2013102908.tif 000011
【図１０】
2013102908.tif 000012
【図１１】
2013102908.tif 000013